(57)【要約】      （修正有）【課題】電子心電図（ＥＣＧ）信号の高速復元方法及び装置を提供する。【解決手段】ＥＣＧ装置は、ウィルソン結合電極の信号などの生体心拍動曲線信号を受信するための入力と、補償された信号を生成するための加算器２２などのコンバイナとを含む。アナログ−デジタル変換器１６は、デジタル化されたバージョンの補償された信号をプロセッサ１８に提供する。プロセッサは、補償された信号を反映するＥＣＧを生成し、更に、デジタル化された補償された信号の高周波応答に対応するデジタル信号をデジタル−アナログ変換器に出力する。デジタル−アナログ変換器は、デジタル化された補償された信号の高周波応答に対応するアナログバージョンのデジタル信号を提供して、高周波スパイクに対する生体心拍動曲線信号の低い応答を補償する。生体心拍動曲線信号内のペーシング信号寄与が相殺された、結果として生じるＥＣＧが、プロセッサによって生成される。【選択図】図２
2019098179.tif 000002
【特許請求の範囲】
【請求項１】
心電図（ＥＣＧ）装置であって、
患者の生体心拍動曲線信号を受信するための入力と、
前記患者の前記生体心拍動曲線信号の補償された生体心拍動曲線信号を選択的に生成するための補償信号コンバイナと、
デジタルプロセッサにデジタル化されたバージョンの前記補償された生体心拍動曲線信号を提供するためのアナログ−デジタル変換器と、を備え、
前記デジタルプロセッサが、前記補償された生体心拍動曲線信号を反映するＥＣＧを生成し、また、前記デジタル化された補償された生体心拍動曲線信号の高周波応答に対応するデジタル信号をデジタル−アナログ変換器に出力するように構成され、
前記デジタル−アナログ変換器が、前記デジタル化された補償された生体心拍動曲線信号の高周波応答に対応するアナログバージョンの前記デジタル信号を前記補償信号コンバイナに提供して、高周波スパイクに対する前記患者の前記生体心拍動曲線信号の低い応答を補償するように構成され、それによって、前記生体心拍動曲線信号内のペーシング信号寄与が相殺されたＥＣＧが、前記デジタルプロセッサによって生成される、心電図装置。
【請求項２】
前記入力が、患者のウィルソン結合電極（ＷＣＴ）の生体心拍動曲線信号を受信するように構成されている、請求項１に記載のＥＣＧ装置。
【請求項３】
前記補償信号コンバイナが、加算器である、請求項２に記載のＥＣＧ装置。
【請求項４】
前記患者の前記生体心拍動曲線信号の前記補償された生体心拍動曲線信号が、前記アナログ−デジタル変換器への前記入力として、差動増幅器構成において、演算増幅器を介して、心内信号と組み合わせられる、請求項３に記載のＥＣＧ装置。
【請求項５】
前記プロセッサが、１０分の数秒の時間にわたるマイクロボルトの信号を反映するグラフ形式において、前記補償された生体心拍動曲線信号を反映する前記ＥＣＧを生成する、請求項４に記載のＥＣＧ装置。
【請求項６】
前記補償信号コンバイナが、加算器である、請求項１に記載のＥＣＧ装置。
【請求項７】
前記患者の前記生体心拍動曲線信号の前記補償された生体心拍動曲線信号が、前記アナログ−デジタル変換器への前記入力として、差動増幅器構成において、演算増幅器を介して、心内信号と組み合わせられる、請求項６に記載のＥＣＧ装置。
【請求項８】
前記プロセッサが、１０分の数秒の時間にわたるマイクロボルトの信号を反映するグラフ形式において、前記補償された生体心拍動曲線信号を反映する前記ＥＣＧを生成する、請求項７に記載のＥＣＧ装置。
【請求項９】
前記患者の前記生体心拍動曲線信号の前記補償された生体心拍動曲線信号が、前記アナログ−デジタル変換器への前記入力として、差動増幅器構成において、演算増幅器を介して、心内信号と組み合わせられる、請求項１に記載のＥＣＧ装置。
【請求項１０】
前記プロセッサが、１０分の数秒の時間にわたるマイクロボルトの信号を反映するグラフ形式において、前記補償された生体心拍動曲線信号を反映する前記ＥＣＧを生成する、請求項９に記載のＥＣＧ装置。
【請求項１１】
心電図（ＥＣＧ）を生成する方法であって、
患者の生体心拍動曲線信号を受信することと、
前記患者の前記生体心拍動曲線信号の補償された生体心拍動曲線信号を選択的に生成することと、
デジタル化されたバージョンの前記補償された生体心拍動曲線信号をデジタルプロセッサに提供することと、を含み、
前記デジタルプロセッサが、前記補償された生体心拍動曲線信号を反映するＥＣＧを生成し、また、前記デジタル化された補償された生体心拍動曲線信号の高周波応答に対応するデジタル信号をデジタル−アナログ変換器に出力し、
前記デジタル−アナログ変換器が、前記生体心拍動曲線信号と組み合わせられる、前記デジタル化された補償された生体心拍動曲線信号の高周波応答に対応するアナログバージョンの前記デジタル信号を提供して、高周波スパイクに対する前記患者の前記生体心拍動曲線信号の低い応答を補償し、それによって、前記生体心拍動曲線信号内のペーシング信号寄与が相殺されたＥＣＧが、前記デジタルプロセッサによって生成される、方法。
【請求項１２】
ウィルソン結合電極（ＷＣＴ）の生体心拍動曲線信号が、前記患者の前記生体心拍動曲線信号として受信される、請求項１１に記載の方法。
【請求項１３】
前記デジタル化された補償された生体心拍動曲線信号の高周波応答に対応する前記アナログバージョンの前記デジタル信号が、生体心拍動曲線信号に加えられて、前記補償された生体心拍動曲線信号を生成する、請求項１２に記載の方法。
【請求項１４】
前記患者の前記生体心拍動曲線信号の前記補償された生体心拍動曲線信号が、前記デジタルプロセッサに前記デジタル化されたバージョンの前記補償された生体心拍動曲線信号を提供するアナログ−デジタル変換器への前記入力として、差動増幅器構成において、演算増幅器を介して、心内信号と組み合わせられる、請求項１３に記載の方法。
【請求項１５】
前記プロセッサが、１０分の数秒の時間にわたるマイクロボルトの信号を反映するグラフ形式において、前記補償された生体心拍動曲線信号を反映する前記ＥＣＧを生成する、請求項１４に記載の方法。
【請求項１６】
前記デジタル化された補償された生体心拍動曲線信号の高周波応答に対応する前記アナログバージョンの前記デジタル信号が、生体心拍動曲線信号に加えられて、前記補償された生体心拍動曲線信号を生成する、請求項１１に記載の方法。
【請求項１７】
前記患者の前記生体心拍動曲線信号の前記補償された生体心拍動曲線信号が、前記デジタルプロセッサに前記デジタル化されたバージョンの前記補償された生体心拍動曲線信号を提供するアナログ−デジタル変換器への前記入力として、差動増幅器構成において、演算増幅器を介して、心内信号と組み合わせられる、請求項１６に記載の方法。
【請求項１８】
前記プロセッサが、１０分の数秒の時間にわたるマイクロボルトの信号を反映するグラフ形式において、前記補償された生体心拍動曲線信号を反映する前記ＥＣＧを生成する、請求項１７に記載の方法。
【請求項１９】
前記患者の前記生体心拍動曲線信号の前記補償された生体心拍動曲線信号が、前記デジタルプロセッサに前記デジタル化されたバージョンの前記補償された生体心拍動曲線信号を提供するアナログ−デジタル変換器への前記入力として、差動増幅器構成において、演算増幅器を介して、心内信号と組み合わせられる、請求項１１に記載の方法。
【請求項２０】
前記プロセッサが、１０分の数秒の時間にわたるマイクロボルトの信号を反映するグラフ形式において、前記補償された生体心拍動曲線信号を反映する前記ＥＣＧを生成する、請求項１９に記載の方法。
【発明の詳細な説明】
【技術分野】
【０００１】
電子心電図（electrocardiogram、ＥＣＧ）信号の高速復元方法及び装置を提供する。
【発明の概要】
【課題を解決するための手段】
【０００２】
１つの実施形態において、ＥＣＧ装置は、患者の生体心拍動曲線信号を受信するための入力と、患者の生体心拍動曲線信号の補償された生体心拍動曲線信号を選択的に生成するための補償信号コンバイナとを含む。アナログ−デジタル変換器は、デジタル化されたバージョンの補償された生体心拍動曲線信号をデジタルプロセッサに提供する。デジタルプロセッサは、補償された生体心拍動曲線信号を反映するＥＣＧを生成し、更に、デジタル化された補償された生体心拍動曲線信号の高周波応答に対応するデジタル信号をデジタル−アナログ変換器に出力する。デジタル−アナログ変換器は、デジタル化された補償された生体心拍動曲線信号の高周波応答に対応するアナログバージョンのデジタル信号を補償信号コンバイナに提供して、高周波スパイクに対する患者の生体心拍動曲線信号の低い応答を補償する。生体心拍動曲線信号内のペーシング信号寄与が相殺された、結果として生じるＥＣＧが、デジタルプロセッサによって生成される。
【０００３】
好ましくは、入力は、患者のウィルソン結合電極（Wilson Central Terminal、ＷＣＴ）の生体心拍動曲線信号を受信するように構成される。また、補償信号コンバイナは、１つの実施形態において、加算器である。患者の生体心拍動曲線信号の補償された生体心拍動曲線信号は、アナログ−デジタル変換器への入力として、差動増幅器構成において、演算増幅器を介して、心内信号と組み合わせることができる。プロセッサは、１０分の数秒の時間にわたるマイクロボルトの信号を反映するグラフ形式において、補償された生体心拍動曲線信号を反映するＥＣＧを生成するように構成することができる。
【０００４】
別の実施形態では、心電図（ＥＣＧ）を生成する方法を提供する。患者の生体心拍動曲線信号を受信する。患者の生体心拍動曲線信号の補償された生体心拍動曲線信号を選択的に生成する。デジタル化されたバージョンの補償された生体心拍動曲線信号をデジタルプロセッサに提供する。デジタルプロセッサは、補償された生体心拍動曲線信号を反映するＥＣＧを生成し、そして、デジタル化された補償された生体心拍動曲線信号の高周波応答に対応するデジタル信号をデジタル−アナログ変換器に出力する。生体心拍動曲線信号と組み合わせられる、デジタル化された補償された生体心拍動曲線信号の高周波応答に対応するアナログバージョンのデジタル信号を提供して、高周波スパイクに対する患者の生体心拍動曲線信号の低い応答を補償する、デジタル−アナログ変換器。生体心拍動曲線信号内のペーシング信号寄与が相殺された、結果として生じるＥＣＧが、デジタルプロセッサによって生成される。
【０００５】
好ましくは、ウィルソン結合電極（ＷＣＴ）の生体心拍動曲線信号は、患者の生体心拍動曲線信号として受信する。また、デジタル化された補償された生体心拍動曲線信号の高周波応答に対応するアナログバージョンのデジタル信号は、１つの実施形態において、生体心拍動曲線信号に加えられて、補償された生体心拍動曲線信号を生成する。
【０００６】
患者の生体心拍動曲線信号の補償された生体心拍動曲線信号は、デジタル化されたバージョンの補償された生体心拍動曲線信号をデジタルプロセッサに提供するアナログ−デジタル変換器への入力として、差動増幅器構成において、演算増幅器を介して、心内信号と組み合わせることができる。プロセッサは、１０分の数秒の時間にわたるマイクロボルトの信号を反映するグラフ形式において、補償された生体心拍動曲線信号を反映するＥＣＧを生成することができる。
【０００７】
本発明の他の目的及び利点は、当業者には図面及び以下の詳細な説明から明らかであろう。
【図面の簡単な説明】
【０００８】
【図１】従来の教示に基づくＥＣＧシステムの概略図である。
【図２】本発明の教示に従うＥＣＧシステムの概略図である。
【図３（Ａ）】ＥＣＧに関連する信号の実例を示す図である。
【図３（Ｂ）】ＥＣＧに関連する信号の実例を示す図である。
【図３（Ｃ）】ＥＣＧに関連する信号の実例を示す図である。
【図４】本発明の教示に従って心電図（ＥＣＧ）を生成する方法のフロー図である。
【発明を実施するための形態】
【０００９】
本発明は、ＥＣＧのシステム及び方法に関する。発明者が認識したところでは、電気生理学の医師は、ペーシングによって生じる干渉信号を補償する、改良されたＥＣＧシステムを必要としている。
【００１０】
ペースパルスの検出を含むＥＣＧ監視システムは、当該技術分野において既知である。例えば、米国特許第５，６８２，９０２号（Ｈｅｒｌｅｉｋｓｏｎ）を参照されたい。そのような標準的なＥＣＧ入力システムは、アナログ−デジタル信号処理を利用する。ペーシング信号は、デジタル信号の解析を通して検出することができる。Ｈｅｒｌｅｉｋｓｏｎなどの従来のＥＣＧシステムにおいて、ペースパルス信号は、指定又は算出された時間にわたって、選択された平坦な信号と交換することによって除去することができる。発明者が認識したところでは、電気生理学の医師は、ペーシングによって生じる干渉信号をより正確に補償する、改良されたＥＣＧシステムの利益を享受することができる。
【００１１】
従来の方法論と一致して、ＥＣＧシステム１０は、例えば、戻り接地電極に関して測定した３つのアクティブな四肢電極電圧を平均する患者のウィルソン結合電極（「ＷＣＴ」）の心電図信号を処理するように構築することができる。図１に例示されるように、ＷＣＴ信号は、アナログ−デジタル変換器１６への入力として、差動増幅器構成１５において、演算増幅器１２を介して、心内信号１４と組み合わせることができる。次いで、アナログ−デジタル変換器１６のデジタル出力を、Ｈｅｒｌｅｉｋｓｏｎによって教示される処理に対応するような従来の様態で、プロセッサ１８によって処理して、ＷＣＴ信号に対応するＥＣＧを生成する。
【００１２】
しかしながら、ＷＣＴ信号がペーシング電荷を含むときに、デジタル化された信号の従来の処理を使用するシステム１０によって生成されるＥＣＧは、ペーシング信号の従来の処理のため、部分的に歪曲される。
【００１３】
本発明は、より正確なＥＣＧが生成されるようにペーシング電荷を相殺するためのデジタル−アナログ補償値を実装する、改善されたＥＣＧシステムを提供する。図２を参照すると、図１のシステム１０に類似する、アナログ−デジタル変換器１６及び関連するプロセッサ１８を利用してペーシングを検出する、例示的な高速復元ＥＣＧ入力システム２０が提供される。しかしながら、図２の修正されたシステム２０のプロセッサ１８は、ＷＴＣ信号がペーシング電荷を含むときにペーシング電荷を相殺する追加のＤＣ値信号２１と組み合わせた後に、ＷＣＴ信号を処理するように構成される。
【００１４】
出願人らは、ペーシング信号が適用されると、ＷＴＣ信号が、電子機器ペーシングパルスから生じるかなり低い周波数成分と高い周波数成分の両方を含むことを認識した。図２に例示されるように、ＷＴＣ信号は、加算器２２を通過し、当該加算器は、相殺信号２１を加えて、高周波スパイクに対するＷＴＣ信号の低い応答を補償する。加算器の後の「補償された」ＷＴＣ信号２３は、差動増幅器構成１５において、心内信号１４と共に、演算増幅器１２を介して、アナログ−デジタル変換器１６に提供される。次いで、アナログ−デジタル変換器１６のデジタル出力がデジタルプロセッサ１８に提供される。
【００１５】
アナログ−デジタル変換器１６のデジタル出力を、Ｈｅｒｌｅｉｋｓｏｎによって教示される処理に対応するような従来の様態で、プロセッサ１８によって処理して、補償されたＷＣＴ信号に対応するＥＣＧを生成する。しかしながら、加えて、アナログ−デジタル変換器１６から受信したデジタル信号の高周波応答は、プロセッサ１８によって使用され、デジタル補償信号２５を作成する。デジタル補償信号２５は、デジタル−アナログ変換器２４を通過して、ＷＴＣ信号に加えられるアナログ信号２１を提供する。相殺信号２１をＷＴＣ信号に加えた結果として、プロセッサ１８に、ＥＣＧが補償されたＷＴＣ信号２３に基づいているので生体心電図内のペーシング信号寄与が相殺された、ＥＣＧを生成させる。
【００１６】
ＷＴＣ信号がペーシングパルスを含むときに顕著であるＷＴＣ信号の高周波応答は、プロセッサ１８によって、デジタル補償信号２５を生成するように決定され、当該信号は、デジタル−アナログ変換器２４に送給されて、ＷＴＣ信号に加えられる補償信号２１を提供する。プロセッサ１８によってペーシングアーチファクトが検出されると、短い平均化ウインドウを使用して、常時オフセットを伴わない信号を保つことができる。デジタル−アナログ変換器２４に入力されたデジタル補償信号２５は、ステップを回避するために平滑化される。
【００１７】
相殺信号を適用した、及び適用しない両方の、結果として生じる心電図信号グラフを図３Ａ及びＣに例示する。図３Ａは、相殺を伴わないＷＴＣ信号を反映し、図３Ｃは、高速復元ＥＣＧ入力システム２０のペースパルスの相殺を利用する、結果として生じるＥＣＧを例示する。参考として、図３Ｂは、ＷＴＣ信号内のペースパルス信号に対するＥＣＧチャネル応答を反映して提供される。グラフは、１秒にわたる信号のマイクロボルト（μＶｓ）を反映する。
【００１８】
図４を参照すると、図３Ｃで表されるＥＣＧを生成するための例示的な方法が提供される。ステップ４１で、患者の生体心拍動曲線信号を受信する。ステップ４３で、アナログ補償信号を患者の生体心拍動曲線信号に加えることによって、補償された生体心拍動曲線信号を生成する。ステップ４５で、デジタル化されたバージョンの補償された生体心拍動曲線信号をデジタルプロセッサに提供する。ステップ４７で、デジタルプロセッサは、補償された生体心拍動曲線信号を反映するＥＣＧを生成し、そして、デジタル化された補償された生体心拍動曲線信号の高周波応答に対応するデジタル信号をデジタル−アナログ変換器に出力する。ステップ４９で、デジタル−アナログ変換器は、ステップ４３で生体心拍動曲線信号と組み合わせられる、デジタル化された補償された生体心拍動曲線信号の高周波応答に対応するアナログバージョンのデジタル信号を提供して、高周波スパイクに対する患者の生体心拍動曲線信号の低い応答を補償し、それによって、生体心拍動曲線信号内のペーシング信号寄与が相殺されたＥＣＧが、デジタルプロセッサによって生成される。
【００１９】
本出願において引用される全ての参考文献は、あたかも完全に記載されているかのように、参照により本明細書に組み込まれる。当業者には、本明細書で述べられる本発明の趣旨又は範囲から逸脱することなく、説明される実施形態に数多くの変更及び修正を行うことができることが認識されるであろう。
【００２０】
〔実施の態様〕
（１）  心電図（ＥＣＧ）装置であって、
患者の生体心拍動曲線信号（biometric cardiogram signal）を受信するための入力と、
前記患者の前記生体心拍動曲線信号の補償された生体心拍動曲線信号を選択的に生成するための補償信号コンバイナと、
デジタルプロセッサにデジタル化されたバージョンの前記補償された生体心拍動曲線信号を提供するためのアナログ−デジタル変換器と、を備え、
前記デジタルプロセッサが、前記補償された生体心拍動曲線信号を反映するＥＣＧを生成し、また、前記デジタル化された補償された生体心拍動曲線信号の高周波応答に対応するデジタル信号をデジタル−アナログ変換器に出力するように構成され、
前記デジタル−アナログ変換器が、前記デジタル化された補償された生体心拍動曲線信号の高周波応答に対応するアナログバージョンの前記デジタル信号を前記補償信号コンバイナに提供して、高周波スパイクに対する前記患者の前記生体心拍動曲線信号の低い応答を補償するように構成され、それによって、前記生体心拍動曲線信号内のペーシング信号寄与が相殺されたＥＣＧが、前記デジタルプロセッサによって生成される、心電図装置。
（２）  前記入力が、患者のウィルソン結合電極（ＷＣＴ）の生体心拍動曲線信号を受信するように構成されている、実施態様１に記載のＥＣＧ装置。
（３）  前記補償信号コンバイナが、加算器である、実施態様２に記載のＥＣＧ装置。
（４）  前記患者の前記生体心拍動曲線信号の前記補償された生体心拍動曲線信号が、前記アナログ−デジタル変換器への前記入力として、差動増幅器構成において、演算増幅器を介して、心内信号と組み合わせられる、実施態様３に記載のＥＣＧ装置。
（５）  前記プロセッサが、１０分の数秒の時間にわたるマイクロボルトの信号を反映するグラフ形式において、前記補償された生体心拍動曲線信号を反映する前記ＥＣＧを生成する、実施態様４に記載のＥＣＧ装置。
【００２１】
（６）  前記補償信号コンバイナが、加算器である、実施態様１に記載のＥＣＧ装置。
（７）  前記患者の前記生体心拍動曲線信号の前記補償された生体心拍動曲線信号が、前記アナログ−デジタル変換器への前記入力として、差動増幅器構成において、演算増幅器を介して、心内信号と組み合わせられる、実施態様６に記載のＥＣＧ装置。
（８）  前記プロセッサが、１０分の数秒の時間にわたるマイクロボルトの信号を反映するグラフ形式において、前記補償された生体心拍動曲線信号を反映する前記ＥＣＧを生成する、実施態様７に記載のＥＣＧ装置。
（９）  前記患者の前記生体心拍動曲線信号の前記補償された生体心拍動曲線信号が、前記アナログ−デジタル変換器への前記入力として、差動増幅器構成において、演算増幅器を介して、心内信号と組み合わせられる、実施態様１に記載のＥＣＧ装置。
（１０）  前記プロセッサが、１０分の数秒の時間にわたるマイクロボルトの信号を反映するグラフ形式において、前記補償された生体心拍動曲線信号を反映する前記ＥＣＧを生成する、実施態様９に記載のＥＣＧ装置。
【００２２】
（１１）  心電図（ＥＣＧ）を生成する方法であって、
患者の生体心拍動曲線信号を受信することと、
前記患者の前記生体心拍動曲線信号の補償された生体心拍動曲線信号を選択的に生成することと、
デジタル化されたバージョンの前記補償された生体心拍動曲線信号をデジタルプロセッサに提供することと、を含み、
前記デジタルプロセッサが、前記補償された生体心拍動曲線信号を反映するＥＣＧを生成し、また、前記デジタル化された補償された生体心拍動曲線信号の高周波応答に対応するデジタル信号をデジタル−アナログ変換器に出力し、
前記デジタル−アナログ変換器が、前記生体心拍動曲線信号と組み合わせられる、前記デジタル化された補償された生体心拍動曲線信号の高周波応答に対応するアナログバージョンの前記デジタル信号を提供して、高周波スパイクに対する前記患者の前記生体心拍動曲線信号の低い応答を補償し、それによって、前記生体心拍動曲線信号内のペーシング信号寄与が相殺されたＥＣＧが、前記デジタルプロセッサによって生成される、方法。
（１２）  ウィルソン結合電極（ＷＣＴ）の生体心拍動曲線信号が、前記患者の前記生体心拍動曲線信号として受信される、実施態様１１に記載の方法。
（１３）  前記デジタル化された補償された生体心拍動曲線信号の高周波応答に対応する前記アナログバージョンの前記デジタル信号が、生体心拍動曲線信号に加えられて、前記補償された生体心拍動曲線信号を生成する、実施態様１２に記載の方法。
（１４）  前記患者の前記生体心拍動曲線信号の前記補償された生体心拍動曲線信号が、前記デジタルプロセッサに前記デジタル化されたバージョンの前記補償された生体心拍動曲線信号を提供するアナログ−デジタル変換器への前記入力として、差動増幅器構成において、演算増幅器を介して、心内信号と組み合わせられる、実施態様１３に記載の方法。
（１５）  前記プロセッサが、１０分の数秒の時間にわたるマイクロボルトの信号を反映するグラフ形式において、前記補償された生体心拍動曲線信号を反映する前記ＥＣＧを生成する、実施態様１４に記載の方法。
【００２３】
（１６）  前記デジタル化された補償された生体心拍動曲線信号の高周波応答に対応する前記アナログバージョンの前記デジタル信号が、生体心拍動曲線信号に加えられて、前記補償された生体心拍動曲線信号を生成する、実施態様１１に記載の方法。
（１７）  前記患者の前記生体心拍動曲線信号の前記補償された生体心拍動曲線信号が、前記デジタルプロセッサに前記デジタル化されたバージョンの前記補償された生体心拍動曲線信号を提供するアナログ−デジタル変換器への前記入力として、差動増幅器構成において、演算増幅器を介して、心内信号と組み合わせられる、実施態様１６に記載の方法。
（１８）  前記プロセッサが、１０分の数秒の時間にわたるマイクロボルトの信号を反映するグラフ形式において、前記補償された生体心拍動曲線信号を反映する前記ＥＣＧを生成する、実施態様１７に記載の方法。
（１９）  前記患者の前記生体心拍動曲線信号の前記補償された生体心拍動曲線信号が、前記デジタルプロセッサに前記デジタル化されたバージョンの前記補償された生体心拍動曲線信号を提供するアナログ−デジタル変換器への前記入力として、差動増幅器構成において、演算増幅器を介して、心内信号と組み合わせられる、実施態様１１に記載の方法。
（２０）  前記プロセッサが、１０分の数秒の時間にわたるマイクロボルトの信号を反映するグラフ形式において、前記補償された生体心拍動曲線信号を反映する前記ＥＣＧを生成する、実施態様１９に記載の方法。
【図１】
2019098179.tif 000003
【図２】
2019098179.tif 000004
【図３（Ａ）】
2019098179.tif 000005
【図３（Ｂ）】
2019098179.tif 000006
【図３（Ｃ）】
2019098179.tif 000007
【図４】
2019098179.tif 000008
【外国語明細書】
2019098179000001.pdf